(57)【要約】【課題】  接触型のデータ記録部及び非接触型のデータ記録部を備える媒体に対応しつつ、利便性を低減させない取引装置を提供する。【解決手段】  本発明は、取引装置に関する。本発明の取引装置は、媒体が備える非接触型のデータ記録部の非接触型データを読み取る第１の読取部と、媒体が備える接触型のデータ記録部の接触型データを読み取る第２の読取部と、取引に関する画面を表示する表示部と、第１の読取部で非接触型データを読み取った後、第２の読取部で接触型データを読み取った場合、表示部に第１の読取部で非接触型データが読取られた旨を表示させる制御部とを有することを特徴とする。【選択図】      図１
2016212487.tif 000002
【特許請求の範囲】
【請求項１】
媒体が備える非接触型のデータ記録部の非接触型データを読み取る第１の読取部と、
媒体が備える接触型のデータ記録部の接触型データを読み取る第２の読取部と、
取引に関する画面を表示する表示部と、
上記第１の読取部で非接触型データを読み取った後、上記第２の読取部で接触型データを読み取った場合、上記表示部に上記第１の読取部で非接触型データが読取られた旨を表示させる制御部と
を有することを特徴とする取引装置。
【請求項２】
上記制御部は、上記第１の読取部で非接触型データを読み取った後、上記第２の読取部で接触型データを読み取った場合、上記表示部を制御して、接触型のデータ記録部に対応する取引の操作画面上に、上記第１の読取部で非接触型データが読取られた旨を表示させることを特徴とする請求項１に記載の取引装置。
【請求項３】
上記制御部は、最初に上記第１の読取部で非接触型データを読み取ると、その非接触型データを受け捨てることを特徴とする請求項１に記載の取引装置。
【請求項４】
上記制御部は、非接触型データを受け捨てた後、所定時間上記第１の読取部の読取を停止した状態で待機させ、上記所定時間の待機後に上記第１の読取部の読取を再開させることを特徴とする請求項３に記載の取引装置。
【請求項５】
上記制御部は、上記第１の読取部の読取を再開させた後に、再度上記第１の読取部で非接触型データを読み取った場合に、非接触型のデータ記録部に対応する取引の処理に移行することを特徴とする請求項４に記載の取引装置。
【請求項６】
上記制御部は、上記第１の読取部の読取を再開させた後に、再度上記第１の読取部で非接触型データを読み取った場合に、非接触型のデータ記録部に対応する取引の操作画面を、上記表示部に表示させることを特徴とする請求項５に記載の取引装置。
【請求項７】
上記制御部は、上記第２の読取部で接触型データを読み取りしていない状態で、上記第１の読取部で非接触型データを読み取ると、接触型のデータ記録部に対応する取引及び非接触型のデータ記録部に対応する取引の両方を選択可能な取引選択画面を上記表示部に表示させることを特徴とする請求項１に記載の取引装置。
【請求項８】
上記制御部は、接触型のデータ記録部に対応する取引及び非接触型のデータ記録部に対応する取引の両方を選択可能な取引選択画面を上記表示部に表示させた後、上記第２の読取部で接触型データを読み取った場合、上記表示部に表示する操作画面を接触型のデータ記録部に対応する取引だけを選択可能な取引選択画面に変更することを特徴とする請求項７に記載の取引装置。
【発明の詳細な説明】
【技術分野】
【０００１】
この発明は、取引装置に関し、例えば、非接触ＩＣを備えるカードを用いた取引を行う自動取引装置（ＡＴＭ：Ａｕｔｏｍａｔｅｄ  Ｔｅｌｌｅｒ  Ｍａｃｈｉｎｅ）に適用し得る。
【背景技術】
【０００２】
従来の自動取引装置では、磁気ストライプカード、接触ＩＣカード（接触型ＩＣカード）、非接触ＩＣカード（非接触型ＩＣカード）等の複数の種類のカード（媒体）について処理可能な自動取引装置が存在する。
【０００３】
例えば、特許文献１には、磁気ストライプカード及び非接触ＩＣカードの両方に対応する自動取引装置について記載されている。特許文献１に記載された自動取引装置では、非接触ＩＣカードからの信号を受信した場合に、利用者に対して、先行して非接触ＩＣカードを用いた固有の取引選択画面を表示する。
【先行技術文献】
【特許文献】
【０００４】
【特許文献１】特開２００６−３２３７３１
【発明の概要】
【発明が解決しようとする課題】
【０００５】
しかしながら、従来の自動取引装置において、非接触ＩＣ等の非接触型のデータ記録部と、磁気ストライプや接触ＩＣ等の接触型のデータ記録部の両方を備えるカード（以下、「複合カード」と呼ぶ）を用いた取引を行う場合、顧客が意図しないデータ記録部の読込みが発生して取引が開始されてしまう場合があった。
【０００６】
例えば、カード挿入排出口（磁気ストライプ又は接触ＩＣのデータを読み取るためのカード挿入排出口）と、非接触ＩＣと通信するカード読取部との位置関係によっては、顧客がカード挿入排出口に複合カード（例えば、磁気ストライプと非接触ＩＣの２つのデータ記録部を備えるカード）を挿入しようとしても、誤ってカード読取部で当該カードの非接触ＩＣの読取が発生してしまう恐れがある。この場合、顧客は、磁気ストライプ又は接触ＩＣを用いた取引（例えば、金融機関の口座に係る取引）を行うことを希望しているにも関わらず、自動取引装置は非接触ＩＣを用いた取引選択画面（例えば、電子マネーのチャージ画面等）が表示することになる。
【０００７】
そのため、接触型のデータ記録部及び非接触型のデータ記録部を備える媒体に対応しつつ、利便性を低減させない取引装置が望まれている。
【課題を解決するための手段】
【０００８】
本発明の取引装置は、（１）媒体が備える非接触型のデータ記録部の非接触型データを読み取る第１の読取部と、（２）媒体が備える接触型のデータ記録部の接触型データを読み取る第２の読取部と、（３）取引に関する画面を表示する表示部と、（４）上記第１の読取部で非接触型データを読み取った後、上記第２の読取部で接触型データを読み取った場合、上記表示部に上記第１の読取部で非接触型データが読取られた旨を表示させる制御部とを有することを特徴とする。
【発明の効果】
【０００９】
本発明によれば、接触型のデータ記録部及び非接触型のデータ記録部を備える媒体に対応しつつ、利便性を低減させない取引装置を提供することができる。
【図面の簡単な説明】
【００１０】
【図１】第１の実施形態に係る自動取引装置の機能的構成について示した説明図である。
【図２】第１の実施形態に係る自動取引装置を前面側から見た図である。
【図３】第１の実施形態に係る自動取引装置で処理するカードの構成例について示した説明図である。
【図４】第１の実施形態に係る自動取引装置の動作について示したフローチャート（その１）である。
【図５】第１の実施形態に係る自動取引装置の表示操作部で表示される取引選択画面の例について示した説明図（その１）である。
【図６】第１の実施形態に係る自動取引装置の動作について示したフローチャート（その２）である。
【図７】第１の実施形態に係る自動取引装置の表示操作部で表示される取引選択画面の例について示した説明図（その２）である。
【図８】第１の実施形態に係る自動取引装置の動作について示したフローチャート（その３）である。
【図９】第１の実施形態に係る自動取引装置の表示操作部で表示される取引選択画面の例について示した説明図（その３）である。
【図１０】第２の実施形態に係る自動取引装置の動作について示したフローチャートである。
【図１１】第２の実施形態に係る自動取引装置の表示操作部で表示される取引選択画面の例について示した説明図（その１）である。
【図１２】第２の実施形態に係る自動取引装置の表示操作部で表示される取引選択画面の例について示した説明図（その２）である。
【発明を実施するための形態】
【００１１】
（Ａ）第１の実施形態
以下、本発明による取引装置の第１の実施形態を、図面を参照しながら詳述する。第１の実施形態では、本発明の取引装置を自動取引装置（ＡＴＭ）に適用した例について説明する。
【００１２】
（Ａ−１）第１の実施形態の構成
図１は、この実施形態の自動取引装置１の機能的構成を示すブロック図である。また、図２は、この実施形態の自動取引装置１を前面側（顧客側）から見た図である。
【００１３】
自動取引装置１は、複数種類のカード（媒体）を用いた取引に対応している。具体的には、自動取引装置１では、少なくとも接触型のデータ記録部（例えば、磁気ストライプや接触ＩＣ）のみを備える接触型カードと、非接触型のデータ記録部（例えば、非接触ＩＣ）及び接触型のデータ記録部を備える複合カードに対応している。図３は、自動取引装置１が対応するカードの構成例について示した説明図である。
【００１４】
接触型カード（接触型のデータ記録部のみを備えるカード）としては、例えば、図３（ａ）に示すような磁気ストライプ３１及び接触ＩＣ３２を備えるカード３０１がある。
【００１５】
複合カード（接触型のデータ記録部及び非接触型のデータ記録部を備えるカード）としては、例えば、図３（ｂ）に示すような磁気ストライプ３１及び非接触ＩＣ３３を備えるカード３０２がある。この実施形態の例では、自動取引装置１は、少なくとも上述のような接触型カード、及び複合カードの両方に対応しているものとして以下の説明を行う。なお、自動取引装置１では、磁気ストライプのみを備えるカードや、非接触ＩＣのみを備えるカードに対応するようにしてもよい。また、自動取引装置１では、磁気ストライプ、接触ＩＣ及び非接触ＩＣを備える複合カードに対応するようにしてもよい。
【００１６】
自動取引装置１は、読込んだカードのデータ記録部のデータを利用して、ホストコンピュータ２の制御に応じた取引を行う。この実施形態の自動取引装置１は、磁気ストライプや接触ＩＣに記録された金融機関の口座情報等に基づいて当該口座に係る取引（出金、残高照会、振込等の取引）を実行する。また、この実施形態の自動取引装置１は、非接触ＩＣに、電子マネーをチャージする等の取引を行う。すなわち、自動取引装置１では、磁気ストライプ／接触ＩＣ（接触型のデータ記録部）を用いて行う取引内容と、非接触ＩＣ（非接触型のデータ記録部）を用いて行う取引内容とが異なっている。
【００１７】
次に、自動取引装置１の内部構成について説明する。
【００１８】
自動取引装置１は、制御部１０、記録部２０、表示操作部３０、ピンパッド１００、磁気／接触ＩＣカード処理部４０、非接触ＩＣカード処理部５０、紙幣入出金部６０、硬貨入出金部７０、ジャーナル記録部８０、及び明細票発行部９０を有している。
【００１９】
制御部１０は、自動取引装置１内の各部の動作を制御する機能を担っている。制御部１０は、例えば、プロセッサやメモリ等を含むプログラムの実施構成に実施形態の取引プログラム等をインストールすることにより実現することができる。制御部１０は、自動取引装置１内の各部の動作を制御する構成要素として、表示操作制御部１１、磁気／接触ＩＣカード処理制御部１２、非接触ＩＣカード処理制御部１３、紙幣入出金制御部１４、硬貨入出金制御部１５、ジャーナル記録制御部１６、及び明細票発行制御部１７を有している。
【００２０】
表示操作制御部１１は、表示操作部３０及びピンパッド１００を制御する構成要素（上位プログラムを構成する要素）として機能する。また、磁気／接触ＩＣカード処理制御部１２、非接触ＩＣカード処理制御部１３、紙幣入出金制御部１４、硬貨入出金制御部１５、ジャーナル記録制御部１６、及び明細票発行制御部１７は、それぞれ、磁気／接触ＩＣカード処理部４０、非接触ＩＣカード処理部５０、紙幣入出金部６０、硬貨入出金部７０、ジャーナル記録部８０、及び明細票発行部９０を制御する構成要素（上位プログラムを構成する要素）として機能する。
【００２１】
記録部２０は、制御部１０が動作するために必要なプログラムやパラメータ等のデータを保持する記憶手段である。記録部２０としては、例えば、ハードディスクドライブやフラッシュメモリ等の不揮発メモリが適用できる。
【００２２】
表示部としての表示操作部３０は、ユーザインタフェースの機能を担っている。表示操作部３０に適用するデバイスの種類は限定されない。この実施形態の自動取引装置１では、表示操作部３０としてタッチパネルディスプレイを適用するものとして説明する。自動取引装置１では、表示操作部３０に種々の操作画面（ＧＵＩ（Ｇｒａｐｈｉｃａｌ  Ｕｓｅｒ  Ｉｎｔｅｒｆａｃｅ））を表示してユーザへの情報出力や、ユーザからの操作入力を受付けることが可能である。
【００２３】
ピンパッド１００は、顧客から暗証番号等の数字入力を受付ける機能を担っている。ピンパッド１００は、０〜９の数字入力が可能なテンキーにより構成されている。
【００２４】
第２の読取部としての磁気／接触ＩＣカード処理部４０は、接触型のデータ記録部（少なくとも磁気ストライプ又は接触ＩＣの一方）を備えるカード（例えば、上述の接触型カード３０１や複合カード３０２等のカード）を処理する機能を担っている。磁気／接触ＩＣカード処理部４０は、顧客からカード挿入排出口４１に挿入されたカードを吸入して当該カードの記録データ（磁気ストライプ／接触ＩＣに記録されたデータ）を読み込む処理等を行う。
【００２５】
第１の読取部としての非接触ＩＣカード処理部５０は、非接触型のデータ記録部（非接触ＩＣ）を備えるカード（例えば、上述の複合カード３０２等のカード）を処理する機能を担っている。非接触ＩＣカード処理部５０は、非接触ＩＣを備えるカードと無線通信（アクセス）して、当該カードの非接触ＩＣとのデータ処理（例えば、データの読込みや電子マネーのチャージ等の処理）を行う。非接触ＩＣカード処理部５０では、自動取引装置１の前面に設けられたカード読取面５１が、非接触ＩＣと通信する通信部として機能している。非接触ＩＣカード処理部５０は、カード読取面５１で通信可能な所定範囲内にあるカードの非接触ＩＣと通信を行う。
【００２６】
紙幣入出金部６０は、制御部１０からの制御に応じて紙幣の入金を受付けて格納する処理や、格納している紙幣の出金（排出）を行う。紙幣入出金部６０は、現金入出金口６１で、紙幣の入金及び出金を行う。
【００２７】
硬貨入出金部７０は、制御部１０からの制御に応じて硬貨の入金を受付けて格納する処理や、格納している硬貨の出金（排出）を行う。硬貨入出金部７０は、紙幣入出金部６０と共通の現金入出金口６１で、硬貨の入金及び出金を行う。
【００２８】
ジャーナル記録部８０は、制御部１０（ジャーナル記録制御部１６）の制御に応じて、取引の内容を明細票（例えばロール紙等）に印字する。
【００２９】
明細票発行部９０は、制御部１０（明細票発行制御部１７）の制御に応じて取引内容を印字した明細票を明細票排出部９１から排出する。
【００３０】
次に、自動取引装置１におけるカードの処理概要について説明する。
【００３１】
磁気／接触ＩＣカード処理部４０は、カード挿入排出口４１からカードが挿入されると当該カードのデータ記録部（磁気ストライプ／接触ＩＣ）のデータを読込み、磁気／接触ＩＣカード処理制御部１２へ供給する。磁気／接触ＩＣカード処理制御部１２は、磁気／接触ＩＣカード処理部４０から供給されたデータを、ネットワークＮを介してホストコンピュータ２に通知する。
【００３２】
非接触ＩＣカード処理部５０は、カード読取面５１で通信可能な範囲内に、非接触ＩＣを検知すると、当該非接触ＩＣと通信してデータを読込む。非接触ＩＣカード処理部５０は、非接触ＩＣから読込んだデータを非接触ＩＣカード処理制御部１３に供給する。非接触ＩＣカード処理制御部１３は、非接触ＩＣカード処理部５０から供給されたデータを、ネットワークＮを介してホストコンピュータ２に通知する。
【００３３】
表示操作制御部１１は、磁気／接触ＩＣカード処理部４０及び非接触ＩＣカード処理部５０のデータ取得状況に応じて、取引を選択する操作画面（以下、「取引選択画面」と呼ぶ）を、表示操作部３０に表示させる。表示操作制御部１１が表示する取引選択画面の詳細については後述する。
【００３４】
そして、表示操作制御部１１は、ホストコンピュータ２の制御に従って取引選択画面で選択された取引の操作画面を表示操作部３０に表示させて顧客との取引を行う。なお、表示操作制御部１１が取引選択画面を表示させる処理以後の処理については、種々の自動取引装置（ＡＴＭ）と同様の処理を適用することができるため詳しい説明を省略する。なお、自動取引装置１において、ホストコンピュータ２との機能分担については限定されないものである。例えば、自動取引装置１が単独で全ての取引に係る処理の機能を担うようにしてもよい（すなわち、自動取引装置１がホストコンピュータ２と接続せずに取引を完結するようにしてもよい）。
【００３５】
（Ａ−２）第１の実施形態の動作
次に、以上のような構成を有する第１の実施形態の自動取引装置１の動作を説明する。
【００３６】
[磁気／接触ＩＣカード処理部でのみデータ読取があった場合の動作]
まず、自動取引装置１において、磁気／接触ＩＣカード処理部４０でのみ正常にデータ読取が行われた場合（非接触ＩＣカード処理部５０でデータ読取が行われなかった場合）の動作について図４のシーケンス図を用いて説明する。
【００３７】
まず、ホストコンピュータ２で、自動取引装置１による取引を開始すると判断されたものとする。ホストコンピュータ２で、自動取引装置１による取引を開始する契機については限定されないものである。例えば、自動取引装置１の表示操作部３０で所定の操作（例えば、顧客による表示操作制御部１１の画面のタッチ等）が行われると、当該所定の操作の通知が表示操作制御部１１からホストコンピュータ２に通知され、ホストコンピュータ２で取引開始の判断を行うようにしてもよい。
【００３８】
取引開始を判断すると、ホストコンピュータ２は、非接触ＩＣカード処理制御部１３を介して、非接触ＩＣカード処理部５０にカード読取依頼を通知する（Ｓ１０１）。また、ホストコンピュータ２は、磁気／接触ＩＣカード処理制御部１２を介して磁気／接触ＩＣカード処理部４０にカード読取依頼（カード先行吸入依頼）を通知する（Ｓ１０２）。
【００３９】
次に、磁気／接触ＩＣカード処理部４０は、磁気／接触ＩＣカード処理制御部１２の制御に応じて、カードを読取可能（吸入可能）な状態での待機を開始する（Ｓ１０３）。また、非接触ＩＣカード処理部５０も、非接触ＩＣカード処理制御部１３の制御に応じて、非接触ＩＣと通信可能な状態での待機を開始（非接触ＩＣの探索を開始）する（Ｓ１０４）。
【００４０】
その後、磁気／接触ＩＣカード処理部４０にカードが挿入され吸入されたものとする。そして、磁気／接触ＩＣカード処理部４０で当該カードのデータ（以下、「磁気／接触ＩＣデータ」、又は「非接触型データ」と呼ぶ）の読取が正常終了し、当該磁気／接触ＩＣデータが磁気／接触ＩＣカード処理制御部１２に供給される（Ｓ１０５）。なお、磁気／接触ＩＣデータには、少なくとも、磁気ストライプ又は接触ＩＣのデータの一方が含まれる。
【００４１】
そして、磁気／接触ＩＣカード処理制御部１２は、磁気／接触ＩＣカード処理部４０から取得した磁気／接触ＩＣデータをホストコンピュータ２に通知する（Ｓ１０６）。
【００４２】
磁気／接触ＩＣデータの通知を受けると、ホストコンピュータ２は、非接触ＩＣカード処理制御部１３を介して、非接触ＩＣカード処理部５０にカード読取のキャンセルを通知する（Ｓ１０７）。
【００４３】
カードデータ読取のキャンセルが通知されると、非接触ＩＣカード処理部５０は、カード読取をキャンセル（非接触ＩＣの探索を中止）する（Ｓ１０８）。そして、非接触ＩＣカード処理部５０は、非接触ＩＣカード処理制御部１３を介して、カード読取キャンセル完了をホストコンピュータ２に通知する（Ｓ１０９）。
【００４４】
また、磁気／接触ＩＣカード処理制御部１２によりホストコンピュータ２に磁気／接触ＩＣデータが通知されると、表示操作制御部１１は、磁気ストライプ／接触ＩＣに対応する取引（接触型のデータ記録部に対応する取引）の選択を受付けるための取引選択画面を、表示操作部３０に表示させる（Ｓ１１０）。
【００４５】
このとき、表示操作制御部１１は、表示操作部３０に、例えば図５に示すような取引選択画面（操作画面）を表示させる。図５に示す取引選択画面では、磁気ストライプ／接触ＩＣに対応する取引（接触型のデータ記録部に対応する取引）として、金融機関の口座（挿入されたカードに係る口座）に関する取引を選択するためのボタンＢ１０１〜Ｂ１０６が配置されている。
【００４６】
[両方のカード処理部で読取が発生した場合の動作]
次に、自動取引装置１で、複合カードについて、磁気／接触ＩＣカード処理部４０及び非接触ＩＣカード処理部５０の両方でデータ読取が行われた場合の動作について図６のシーケンス図を用いて説明する。
【００４７】
まず、ホストコンピュータ２で、自動取引装置１による取引が開始され、上述のステップＳ１０１〜１０４と同様の処理により、磁気／接触ＩＣカード処理部４０及び非接触ＩＣカード処理部５０でカードの読取待機が開始されたものとする（Ｓ２０１〜Ｓ２０４）。
【００４８】
その後、非接触ＩＣカード処理部５０のカード読取面５１に複合カードが近づけられ（かざされ）、非接触ＩＣカード処理部５０で当該複合カードの非接触ＩＣのデータ（以下、「非接触ＩＣデータ」、又は「非接触型データ」と呼ぶ）読取が正常終了したものとする。そして、非接触ＩＣカード処理部５０で、読み取られた非接触ＩＣデータは、非接触ＩＣカード処理制御部１３に供給される（Ｓ２０５）。
【００４９】
非接触ＩＣカード処理制御部１３は、最初（１回目）に取得した非接触ＩＣデータを受け捨て（廃棄；無視）し（Ｓ２０６）、所定時間の待機（カード読取を停止した状態での待機）を開始する（Ｓ２０７）。このとき、非接触ＩＣカード処理制御部１３が待機する期間は例えば、予め設定された一定時間としてもよい。
【００５０】
非接触ＩＣカード処理制御部１３は、所定時間の待機を完了すると（Ｓ２０８）、非接触ＩＣカード処理部５０に対して、再度カードの読取待機を依頼する（Ｓ２０９）。
【００５１】
そして、非接触ＩＣカード処理部５０は、非接触ＩＣカード処理制御部１３の制御に応じて、非接触ＩＣと通信可能な状態での待機を再開（非接触ＩＣの探索を再開）する（Ｓ２１０）。
【００５２】
ここでは、非接触ＩＣカード処理制御部１３の待機期間中に、磁気／接触ＩＣカード処理部４０にカードが挿入され吸入されたものとする。そして、磁気／接触ＩＣカード処理部４０で磁気／接触ＩＣデータの読取が正常終了し、当該データが磁気／接触ＩＣカード処理制御部１２に供給される（Ｓ２１１）。
【００５３】
以後、上述のステップＳ１０６〜Ｓ１０９と同様の処理により、磁気／接触ＩＣカード処理制御部１２からホストコンピュータ２に磁気／接触ＩＣデータが通知され、非接触ＩＣカード処理部５０によるカード読取がキャンセルされる（Ｓ２１２〜Ｓ２１５）。
【００５４】
また、磁気／接触ＩＣカード処理制御部１２によりホストコンピュータ２に磁気／接触ＩＣデータが通知されると、表示操作制御部１１は、磁気ストライプ／接触ＩＣに対応する取引（接触型のデータ記録部に対応する取引）の選択を受付けるための取引選択画面を、表示操作部３０に表示させる（Ｓ２１６）。また、このとき、表示操作制御部１１は、表示する取引選択画面に、注意喚起する表示（誤って非接触ＩＣカード処理部５０でカード読取が発生している旨の表示）を行う。具体的には、表示操作制御部１１は、表示操作部３０に、例えば図７に示すような取引選択画面（操作画面）を表示させるようにしてもよい。図７に示す取引選択画面では、磁気ストライプ／接触ＩＣに対応する取引として、金融機関の口座（挿入されたカードに係る口座）に関する取引を選択するためのボタンＢ１０１〜Ｂ１０６が配置されている。また、図７に示す取引選択画面では、誤って非接触ＩＣカード処理部５０でカード読取が発生している旨のメッセージ（図７に示す操作画面では、「非接触ＩＣ情報の読取りが確認されました。」というメッセージ）が表示されている。また、図７に示す取引選択画面では、今後のカードの挿入の仕方の注意喚起をするメッセージ（図７では、「カードを挿入する際には、非接触ＩＣ読取り面にカードをかざさないよう注意してください。」というメッセージ）も表示されている。
【００５５】
[非接触ＩＣカード処理部でのみカードの読取が発生した場合の動作]
次に、自動取引装置１において、非接触ＩＣカード処理部５０でのみデータ読取が行われた場合の動作について図８のシーケンス図を用いて説明する。
【００５６】
まず、ホストコンピュータ２で、自動取引装置１による取引が開始され、上述のステップＳ１０１〜１０４と同様の処理により、磁気／接触ＩＣカード処理部４０及び非接触ＩＣカード処理部５０でカードの読取待機が開始されたものとする（Ｓ３０１〜Ｓ３０４）。
【００５７】
その後、非接触ＩＣカード処理部５０のカード読取面５１に非接触ＩＣを備えるカードが近づけられ（かざされ）、非接触ＩＣカード処理部５０で非接触ＩＣデータの読取が正常終了したものとする。そして、非接触ＩＣカード処理部５０で読み取られた非接触ＩＣデータは、非接触ＩＣカード処理制御部１３に供給される（Ｓ３０５）。
【００５８】
非接触ＩＣカード処理制御部１３は、最初（１回目）に取得した非接触ＩＣデータを受け捨て（Ｓ３０６）、所定時間の待機（カード読取を行わない状態での待機）を開始する（Ｓ３０７）。なお、ここでは、非接触ＩＣカード処理制御部１３が待機している間、磁気／接触ＩＣカード処理部４０へのカード挿入はなかったものとする（すなわち、カードはカード読取面５１にかざされたままの状態であったものとする）。
【００５９】
非接触ＩＣカード処理制御部１３は、所定時間の待機を完了すると（Ｓ３０８）、非接触ＩＣカード処理部５０に対して、再度カードの読取待機を依頼する（Ｓ３０９）。
【００６０】
そして、非接触ＩＣカード処理部５０は、非接触ＩＣカード処理制御部１３の制御に応じて、非接触ＩＣと通信可能な状態での待機を再開（非接触ＩＣの探索を再開）する（Ｓ３１０）。
【００６１】
そして、非接触ＩＣカード処理部５０は、非接触ＩＣカード処理部５０のカード読取面５１にかざされたカードの非接触ＩＣから、非接触ＩＣデータの読取を正常終了したものとする。そして、非接触ＩＣカード処理部５０で読み取られた非接触ＩＣデータは、非接触ＩＣカード処理制御部１３に供給される（Ｓ３１１）。
【００６２】
次に、非接触ＩＣカード処理制御部１３は、非接触ＩＣカード処理部５０から供給された非接触ＩＣデータをホストコンピュータ２に通知する（Ｓ３１２）。
【００６３】
非接触ＩＣデータの通知を受けると、ホストコンピュータ２は、磁気／接触ＩＣカード処理制御部１２を介して、磁気／接触ＩＣカード処理部４０にカード読取のキャンセルを通知する（Ｓ３１３）。
【００６４】
カードデータ読取のキャンセルが通知されると、磁気／接触ＩＣカード処理部４０は、カード読取待機をキャンセルする（Ｓ３１４）。そして、磁気／接触ＩＣカード処理部４０は、磁気／接触ＩＣカード処理制御部１２を介して、カード読取キャンセル完了をホストコンピュータ２に通知する（Ｓ３１５）。
【００６５】
また、磁気／接触ＩＣカード処理制御部１２によりホストコンピュータ２に非接触ＩＣデータが通知されると、表示操作制御部１１は、非接触ＩＣに対応する取引（非接触型のデータ記録部に対応する取引）の選択を受付けるための取引選択画面を、表示操作部３０に表示させる（Ｓ３１６）。
【００６６】
このとき、表示操作制御部１１は、表示操作部３０に、例えば図９に示すような取引選択画面（操作画面）を表示させる。図９に示す取引選択画面では、非接触ＩＣに対応する取引（非接触型のデータ記録部に対応する取引）として、非接触ＩＣに電子マネーをチャージする取引を選択するためのボタンＢ２０１、非接触ＩＣにチャージされた電子マネーの残高を確認する取引を選択するためのボタンＢ２０２、及び取引を取消して中止するためのボタンＢ２０３が配置されている。
【００６７】
（Ａ−３）第１の実施形態の効果
第１の実施形態によれば、以下のような効果を奏することができる。
【００６８】
自動取引装置１では、最初（１回目）に非接触ＩＣカード処理部５０でカード読取が発生したときに読み取った非接触ＩＣデータを受け捨てて所定時間の待機を開始し、その所定時間の待機がするまでの間に磁気／接触ＩＣカード処理部４０でカード読取（カード挿入）が発生した場合、磁気ストライプ／接触ＩＣに対応する取引選択画面を表示している。
【００６９】
具体的には例えば、顧客が、複合カード（図３（ｂ）に示す複合カード３０２）を磁気／接触ＩＣカード処理部４０のカード挿入排出口４１に挿入しようとしたところ、誤って非接触ＩＣカード処理部５０でデータ読取が発生した場合でも、非接触ＩＣカード処理部５０は最初に読み取った非接触ＩＣデータを受け捨てて所定時間待機する。これにより、顧客が、複合カードを磁気／接触ＩＣカード処理部４０のカード挿入排出口４１に挿入しようとしたところ、誤って非接触ＩＣカード処理部５０でデータ読取が発生した場合でも、自動取引装置１では、顧客の所望する通り磁気ストライプ／接触ＩＣに対応する取引選択画面を表示することができる。
【００７０】
特に、図２に示すように、自動取引装置１では、顧客がカード挿入排出口４１にカードを挿入しようとする際に、当該カードがカード読取面５１の上を通過することになる。言い換えると、自動取引装置１では、顧客がカード挿入排出口４１にカードを挿入しようとする際の、カードの動線の近傍にカード読取面５１が配置されている。そのため、自動取引装置１では、顧客が、複合カードを磁気／接触ＩＣカード処理部４０のカード挿入排出口４１に挿入しようとすると、非接触ＩＣカード処理部５０でのデータ読取が発生しやすい構成となっている。しかし、第１の実施形態の自動取引装置１では、上述の通り、誤って非接触ＩＣカード処理部５０でデータ読取が発生した場合でも顧客の所望する取引選択画面を表示できるため、カード挿入排出口４１とカード読取面５１の位置関係による利便性低下を抑制している。なお、顧客が、意識的にカード読取面５１の近傍を避けて、カード挿入排出口４１に複合カードを挿入することにより、誤って非接触ＩＣカード処理部５０でのカード読込を避けることができる。
【００７１】
また、自動取引装置１では、最初に非接触ＩＣカード処理部５０でカード読取が発生したときに読み取った非接触ＩＣデータを受け捨てて所定時間の待機を開始し、その所定時間の待機がするまでの間に磁気／接触ＩＣカード処理部４０でカード読取（カード挿入）が発生した場合、表示する取引選択画面に、注意喚起する表示（非接触ＩＣカード処理部５０でカード読取が発生している旨の表示等）を行う。これにより、顧客に、複合カードをカード挿入排出口４１に挿入する際に、誤ってカード読取面５１に近づけないように注意を促すことができる。
【００７２】
さらに、第１の実施形態の自動取引装置１では、最初に非接触ＩＣカード処理部５０でカード読取が発生したときに読み取った非接触ＩＣデータを受け捨てて所定時間の待機を開始し、所定時間の待機が完了した後、再度非接触ＩＣカード処理部５０でカード読取ができた場合、表示操作部３０に非接触ＩＣに対応する取引を選択する取引選択画面を表示させている。待機後にも非接触ＩＣカード処理部５０でカード読取ができた場合は、顧客は意図してカード読取面５１にカードをかざしており、非接触ＩＣに対応する取引を所望していると推定できる。したがって、第１の実施形態の自動取引装置１では、顧客が意図してカード読取面５１にカードをかざした場合でも、非接触ＩＣに対応する取引選択画面を表示することができる。
【００７３】
（Ｂ）第２の実施形態
以下、本発明による取引装置の第２の実施形態を、図面を参照しながら詳述する。第２の実施形態では、本発明の取引装置を自動取引装置（ＡＴＭ）に適用した例について説明する。
【００７４】
（Ｂ−１）第２の実施形態の構成
第２の実施形態の自動取引装置１の構成についても図１、図２を用いて示すことができる。以下では、第２の実施形態の自動取引装置１について第１の実施形態との差異のみを説明する。
【００７５】
第１の実施形態の自動取引装置１では、非接触ＩＣカード処理制御部１３は、最初に受信した非接触ＩＣデータを受け捨てしていた。これに対して、第２の実施形態の非接触ＩＣカード処理制御部１３は、供給された非接触ＩＣデータを受け捨てしないものとする。具体的には、第２の実施形態の自動取引装置１では、非接触ＩＣカード処理部５０で最初に読取が発生した場合、読取った非接触ＩＣデータを受け捨てせずに、当該非接触ＩＣデータを用いた次の処理（この実施形態ではホストコンピュータ２に通知する処理）を続行する。そして、第２の実施形態の自動取引装置１では、非接触ＩＣカード処理部５０で読取が発生した後、さらに磁気／接触ＩＣカード処理部４０でもカード読取が発生した場合には、磁気ストライプ／接触ＩＣに対応する取引（接触型のデータ記録部に対応する取引）と、非接触ＩＣに対応する取引（非接触型のデータ記録部に対応する取引）の両方を選択可能な取引選択画面を表示する。
【００７６】
（Ｂ−２）第２の実施形態の動作
次に、第２の実施形態の自動取引装置１で、複合カードについて、磁気／接触ＩＣカード処理部４０及び非接触ＩＣカード処理部５０の両方でデータ読取が行われた場合の動作について図１０のシーケンス図を用いて説明する。
【００７７】
まず、ホストコンピュータ２で、自動取引装置１による取引が開始され、上述のステップＳ１０１〜１０４と同様の処理により、磁気／接触ＩＣカード処理部４０及び非接触ＩＣカード処理部５０でカードの読取待機が開始されたものとする（Ｓ４０１〜Ｓ４０４）。
【００７８】
その後、非接触ＩＣカード処理部５０のカード読取面５１に復号カード（非接触ＩＣを備えるカード）が近づけられ（かざされ）、非接触ＩＣカード処理部５０で非接触ＩＣデータの読取が正常終了したものとする。そして、非接触ＩＣカード処理部５０で読み取られた非接触ＩＣデータは、非接触ＩＣカード処理制御部１３に供給される（Ｓ４０５）。
【００７９】
次に、非接触ＩＣカード処理制御部１３は、取得した非接触ＩＣデータをホストコンピュータ２に通知する（Ｓ４０６）。
【００８０】
このとき、表示操作制御部１１は、表示操作部３０に、磁気ストライプ／接触ＩＣに対応する取引（金融機関の口座の取引）に加えて、非接触ＩＣに対応する取引（電子マネーに関する取引）の選択を行うことが可能な取引選択画面を表示させる（Ｓ４０７）。
【００８１】
そして、表示操作制御部１１は、例えば、図１１に示すような取引選択画面を表示操作部３０に表示させる。図１１に示す取引選択画面では、磁気ストライプ／接触ＩＣに対応する取引選択（金融機関の口座の取引選択）を行うためのボタンＢ１０１〜Ｂ１０６に加えて、非接触ＩＣに対応する取引選択（電子マネーのチャージの取引選択）を行うためのボタンＢ２０１が配置されている。このとき、表示操作制御部１１は、図１２に示すように、「誤って非接触ＩＣカード処理部５０でカード読取が発生している旨のメッセージ」や、「今後のカードの挿入の仕方の注意喚起をするメッセージ」等の注意喚起の表示（上述の図７と同様のメッセージ）を追加表示するようにしてもよい。
【００８２】
なお、図１１、図１２の操作画面で、顧客により、非接触ＩＣに対応する取引（電子マネーのチャージの取引）を行うためのボタンＢ２０１が押下された場合、表示操作部３０は、顧客と非接触ＩＣを用いた取引を継続することになる。ただし、ここでは、図１０に示す通り、表示操作部３０で図１１の操作画面が表示された状態で、磁気／接触ＩＣカード処理部４０に復号カードが挿入されたものとする。そして、磁気／接触ＩＣカード処理部４０で磁気／接触ＩＣデータの読取が正常終了し、当該データが磁気／接触ＩＣカード処理制御部１２に供給される（Ｓ４０８）。
【００８３】
次に、磁気／接触ＩＣカード処理制御部１２は、ホストコンピュータ２に磁気／接触ＩＣデータを通知する（Ｓ４０９）。
【００８４】
磁気／接触ＩＣカード処理制御部１２によりホストコンピュータ２に磁気／接触ＩＣデータが通知されると、表示操作制御部１１は、表示操作部３０に表示させる操作画面を、接触型のデータ記録部を用いた取引選択だけを行う操作画面に変更させる（Ｓ４１０）。例えば、表示操作制御部１１は、図１１に示す操作画面から、非接触ＩＣを用いた取引選択（電子マネーのチャージの取引）を行うためのボタンＢ２０１の消去等を行い、上述の図５に示す操作画面を表示操作部３０に表示させるようにしてもよい。この時点で、カードは非接触ＩＣカード処理部５０に吸入されているため非接触ＩＣを用いた取引に移行することはないと判断できるため、磁気／接触ＩＣデータを用いた取引選択だけを行う操作画面とすることが望ましい。
【００８５】
（Ｂ−３）第２の実施形態の効果
第２の実施形態によれば、以下のような効果を奏することができる。
【００８６】
第２の実施形態の自動取引装置１では、非接触ＩＣカード処理部５０でカード読取が発生した後、さらに磁気／接触ＩＣカード処理部４０でもカード読取が発生した場合には、磁気ストライプ／接触ＩＣに対応する取引、及び非接触ＩＣに対応する取引を選択可能な取引選択画面を表示している。これにより、第２の実施形態の自動取引装置１では、顧客が複合カード（を磁気／接触ＩＣカード処理部４０のカード挿入排出口４１に挿入しようとしたところ、誤って非接触ＩＣカード処理部５０でデータ読取が発生した場合でも、顧客が所望する取引を選択可能な取引選択画面を表示させることができる。
【００８７】
（Ｃ）他の実施形態
本発明は、上記の各実施形態に限定されるものではなく、以下に例示するような変形実施形態も挙げることができる。
【００８８】
（Ｃ−１）上記の各実施形態では、本発明の取引装置を自動取引装置に適用する例について説明したが復号カードに対応するその他の取引装置に適用するようにしてもよい。例えば、クレジットカードに係る磁気ストライプと電子マネーがチャージされた非接触ＩＣを備える複合カードに対応する自動販売機（例えば、自動券売機）等に適用するようにしてもよい。
【符号の説明】
【００８９】
１…自動取引装置、１０…制御部、１１…表示操作制御部、１２…磁気／接触ＩＣカード処理制御部、１３…非接触ＩＣカード処理制御部、１４…紙幣入出金制御部、１５…硬貨入出金制御部、１６…ジャーナル記録制御部、１７…明細票発行制御部、２０…記録部、３０…表示操作部、１００…ピンパッド、４０…磁気／接触ＩＣカード処理部、４１…カード挿入排出口、５０…非接触ＩＣカード処理部、５１…カード読取面、６０…紙幣入出金部、６１…現金入出金口、７０…硬貨入出金部、８０…ジャーナル記録部、９０…明細票発行部、９１…明細票排出部、Ｎ…ネットワーク、２…ホストコンピュータ、３０１、３０２…カード、３１…磁気ストライプ、３２…接触ＩＣ、３３…非接触ＩＣ。
【図１】
2016212487.tif 000003
【図２】
2016212487.tif 000004
【図３】
2016212487.tif 000005
【図４】
2016212487.tif 000006
【図５】
2016212487.tif 000007
【図６】
2016212487.tif 000008
【図７】
2016212487.tif 000009
【図８】
2016212487.tif 000010
【図９】
2016212487.tif 000011
【図１０】
2016212487.tif 000012
【図１１】
2016212487.tif 000013
【図１２】
2016212487.tif 000014